(57)【要約】【課題】照明カバーに取付用の貫通孔などを形成することなく、照明カバーの強度を保持できるうえ、取付けられた照明カバーのガタツキも確実に防止する。【解決手段】照明灯１１を保持し、壁面等の取付面Ｈに固定される器具本体１と、上記器具本体１に着脱可能に取付けられ、上記照明灯１１を覆う照明カバー２と、を備えた直付け型照明器具Ａの取付構造であって、上記器具本体１には、上記照明カバー２の開口縁２１に係止される２以上の係止爪１２、１３を備えてなり、これら係止爪１２、１３の少なくとも１つには、上記照明カバー２の開口縁２１を外方に向けて弾性付勢される弾性部材１６を備え、この弾性復元力によって上記照明カバー２を係止すると共に、上記照明カバー２が上記取付面Ｈに対して略密着状態に直付けされることを特徴にしている。【選択図】図１
2005032562.tif 000002
【特許請求の範囲】
【請求項１】
照明灯を保持し、壁面等の取付面に固定される器具本体と、
上記器具本体に着脱可能に取付けられ、上記照明灯を覆う照明カバーと、を備えた直付け型照明器具の取付構造であって、
上記器具本体には、上記照明カバーの開口縁に係止される２以上の係止爪を備えてなり、これら係止爪の少なくとも１つには、上記照明カバーの開口縁を外方に向けて弾性付勢される弾性部材を備え、この弾性復元力によって上記照明カバーを係止すると共に、上記照明カバーが上記取付面に対して略密着状態に直付けされることを特徴とする直付け型照明器具の取付構造。
【請求項２】
請求項１において、
上記弾性部材として、コイルバネを利用し、このコイルバネの弾性復元力によって、上記照明カバーが係止されていることを特徴とする直付け型照明器具の取付構造。
【請求項３】
請求項１又は２の何れかにおいて、
上記器具本体と上記取付面との間には、前記器具本体が取付面に直接接触しないように保護シートを介在させ、弾性部材を備えた上記係止爪が、この保護シートに摺動して可動されることを特徴とする直付け型照明器具の取付構造。
【請求項４】
請求項１〜３の何れかにおいて、
上記器具本体には、上記照明カバーの開口縁の内側であって、且つ、当該開口縁に向けて立設した振れ止め片が設けられていることを特徴とする直付け型照明器具の取付構造。
【請求項５】
請求項１〜４の何れかにおいて、
上記係止片には、上記照明カバーとの接触部分に保護カバーが被覆されていることを特徴とする直付け型照明器具の取付構造。
【発明の詳細な説明】
【０００１】
【発明の属する技術分野】
本発明は、直付け型照明器具の取付構造に関し、特に、壁面等の取付面に照明カバーが略密着状態で直付けされる構造の直付け型照明器具の取付構造に関する。
【０００２】
【従来の技術】
従来、直付け型照明器具の取付構造としては、例えば、照明灯を保持し、壁面等の取付面に固定される器具本体と、上記器具本体に着脱可能に取付けられ、上記照明灯を覆う照明カバーとを備えた照明器具において、上記器具本体を取付面に固定した後、その器具本体に上記照明カバーを被せたうえで、この照明カバーの適所に形成した貫通孔に取付用ネジを貫通させて照明カバーに螺合させ、この照明カバーを器具本体に固定させる構造のものがあった（例えば、特許文献１参照。）。
【０００３】
【特許文献１】
特開２００３−６８１２７号
【発明が解決しようとする課題】
しかし、従来のような直付け型照明器具の取付構造では、照明カバーに取付用ネジを貫通させるための貫通孔が形成されているため、この貫通孔による照明カバーの強度が弱くなるという問題があった。
【０００４】
また、照明カバーの強度を維持するため、上記貫通孔を形成しない照明カバーを器具本体に取付ける構造を想定すれば、例えば、器具本体の周縁に鍔を形成しておき、この鍔に照明カバーをスライドさせて嵌合させるような構造が考えられる。
【０００５】
しかし、このような嵌合させる構造のものでは、取付けられた照明カバーがガタツキ易いという別の問題が生じてしまう。
【０００６】
本発明は、このような事情に鑑みて、照明カバーに取付用の貫通孔などを形成することなく、照明カバーの強度を保持できるうえ、取付けられた照明カバーのガタツキも確実に防止できる直付け型照明器具の取付構造を提供することを目的にしている。
【０００７】
【課題を解決するための手段】
上記目的を達成するため、
請求項１に係る直付け型照明器具の取付構造は、照明灯を保持し、壁面等の取付面に固定される器具本体と、上記器具本体に着脱可能に取付けられ、上記照明灯を覆う照明カバーと、を備えた直付け型照明器具の取付構造であって、上記器具本体には、上記照明カバーの開口縁に係止される２以上の係止爪を備えてなり、これら係止爪の少なくとも１つには、上記照明カバーの開口縁を外方に向けて弾性付勢される弾性部材を備え、この弾性復元力によって上記照明カバーを係止すると共に、上記照明カバーが上記取付面に対して略密着状態に直付けされることを特徴とする。
【０００８】
このものでは、器具本体には、照明カバーの開口縁に係止される２以上の係止爪を備えているので、従来のような照明カバーを係止するための取付用の貫通孔を形成する必要が無く、照明カバーの強度を弱めることなく、その強度を保持できる。
【０００９】
また、係止爪の少なくとも１つには、照明カバーの開口縁を外方に向けて弾性付勢する弾性部材を備えているので、取付けられた照明カバーが弾性部材の弾性復元力によって確実に係止され、照明カバーのガタツキも防止できる。
【００１０】
請求項２に係る直付け型照明器具の取付構造は、請求項１において、上記弾性部材として、コイルバネを利用し、このコイルバネの弾性復元力によって、上記照明カバーが係止されていることを特徴とする。
【００１１】
このものでは、弾性部材としてコイルバネを利用しているので、照明カバーに負荷される弾性力を一定の保持することができ、照明カバーの破損等を防止できる。
【００１２】
請求項３に係る直付け型照明器具の取付構造は、請求項１又は２の何れかにおいて、上記器具本体と上記取付面との間には、前記器具本体が取付面に直接接触しないように保護シートを介在させ、弾性部材を備えた上記係止爪が、この保護シートに摺動して可動されることを特徴とする。
【００１３】
このものでは、器具本体と取付面との間に保護シートを介在させているので、器具本体が直接、取付面に接触することがなく、取付面の傷付きを防止できる。
【００１４】
また、弾性部材を備えた係止爪の一部が、保護シートに摺動されることで、係止爪をスムーズに可動できる。
【００１５】
請求項４に係る直付け型照明器具の取付構造は、請求項１〜３の何れかにおいて、上記器具本体には、上記照明カバーの開口縁の内側であって、且つ、当該開口縁に向けて立設した振れ止め片が設けられていることを特徴とする。
【００１６】
このものでは、器具本体には、照明カバーの開口縁に向けて振れ止め片が設けられているので、照明カバーのガタツキを更に防止できる。
【００１７】
請求項５に係る直付け型照明器具の取付構造は、請求項１〜４の何れかにおいて、上記係止片には、上記照明カバーとの接触部分に保護カバーが被覆されていることを特徴とする。
【００１８】
このものでは、保護カバーによって、照明カバーへの傷付きを防止できる。
【発明の実施の形態】
以下、本発明に係る直付け型照明器具の取付構造を図面とともに説明する。
【００１９】
図１は、本発明に係る直付け型照明器具Ａの取付構造の一実施例を示す分解斜視図であり、図２（ａ）〜（ｃ）は、図１の直付け型照明器具Ａの取付方法を概略的に示した取付説明図を各々示している。以下、詳説する。
【００２０】
この直付け型照明器具Ａは、照明灯１１を保持し、壁面等の取付面Ｈに固定される器具本体１と、この器具本体１に着脱可能に取付けられ、照明灯１１を覆う照明カバー２とを備えている。
【００２１】
本発明は、器具本体１に照明カバー２の開口縁２１に係止される２以上の係止爪１２、１３を備えてなり、これら係止爪１２、１３の少なくとも１つには、照明カバー２の開口縁２１を外方に向けて弾性付勢される弾性部材１６を備え、この弾性復元力によって照明カバー２を係止すると共に、照明カバー２が取付面Ｈに対して略密着状態に直付けされることを特徴にしている。
【００２２】
以下、本発明を具体的に説明すると、器具本体１は、壁面等の取付面Ｈに沿って固定される板状の基板１５の上、下に一対の係止爪１２、１３を設けている。
【００２３】
また、これら係止爪１２、１３が弾性付勢されていない状態での係止部分の長さは、照明カバー２の開口縁２１の口径よりも長く設定されている。
【００２４】
本図例では、下側に形成されている係止爪１３は、基板１５の下端中央の一部を斜め下方の前方側に向けて折り曲げ形成された固定式のものであり、上側に形成されている係止爪１２は、弾性部材１６を備えて上、下方向に可動され、上端中央には、斜め上方の前方側に向けて折り曲げ形成された可動式のものである。
【００２５】
より具体的には、弾性部材１６は、基板１５の上端から前方に向けて一対の支持部１６ａを延設し、この支持部１６ａの下方に向けて軸部材１６ｂが固定されると共に、この軸部材１６ｂにコイルバネ１６ｃが嵌挿され、軸部材１６ｂの下端にコイルバネ１６ｃの抜け止め具１６ｄを設けている。
【００２６】
この弾性部材１６は、実施例のもの以外にも、例えば、板バネや弾性ゴムなどを利用しても実施可能ではあるが、本実施例のようなコイルバネ１６ｃを利用すれば、照明カバー２に負荷される弾性力を一定の保持することができ、照明カバー２の破損等を防止できる。
【００２７】
また、可動される係止爪１２は、一対の支持部１６ａの上方に架設して固定され、その中央から後方に向けて片部１２ａが延設されており、この片部１２ａは、基板１５と略同位置で上方に一旦折曲し、その上端を斜め上方の前方側に向けて延設して係止爪１２を形成している。
【００２８】
更に、２つの係止爪１２、１３には、ゴム、軟質樹脂などで形成された保護カバー１２ｂ、１３ａを各々被覆しており、この保護カバー１２ａ、１３ａによって、照明カバー２への傷付きを防止できる。
【００２９】
なお、可動される係止爪１２は、固定された係止爪１３の鉛直線上を起動するように形成されるのが望ましい。
【００３０】
また、基板１５の中央には、照明灯１１を保時するソケット部１７の配線貫通孔１８を開設しており、この配線貫通孔１８の両側には、ソケット部１７を固定するための一対のボルト１９が前方に向けて延設されている。
【００３１】
そして、ソケット部１７の取付孔１７ａをボルト１９に貫通させ、ナット１７ｂを締付ることで、ソケット部１７を基板１５に固定されている。
【００３２】
なお、ソケット部１７に設けられた配線（不図示）は、配線貫通孔１８を通じて、取付面Ｈへと結線すれば良い。
【００３３】
更に、基板１５には、ソケット部１７を避けて、この基板１５自体を取付面ＨにネジＮ等で固定するための取付孔１５ａを形成している。
【００３４】
また、基板１５の両側端には、前方に折曲形成された一対の振れ止め片１５ｂを形成しており、この振れ止め片１５ｂは、照明カバー２の開口縁２１の内側に位置付けされ、且つ、当該開口縁２１に向けて立設されている。
【００３５】
このような振れ止め片１５ｂを設けることで、照明カバー２のガタツキを更に防止できる。
【００３６】
ここで、基板１５と取付面Ｈとの間には、基板１５よりも外径の大きな透明な硬質樹脂などで形成され、少なくとも表面が滑面処理された保護シート３を介在させている。
【００３７】
また、保護シート３の中央には、配線貫通孔１８及び取付孔１５ａに重合される位置を避けて開設された横長の開口部３１を形成しており、ネジＮの取り付け、或いは、上記配線（不図示）の邪魔にならにようにしている。
【００３８】
この保護シート３を設けることで、２つの効果を得ることができる。
【００３９】
即ち、保護シート３を設けることで、可動される係止爪１２が上、下方向への可動中に振れてしまって取付面Ｈに直接接触することがなく、取付面Ｈの傷付きを防止できる。
【００４０】
また、保護シート３を設けることで、可動される係止爪１２が上、下方向への可動中にこの保護シート３に摺動されるので、凹凸の激しい壁面に設置しても、係止爪１２をスムーズに可動できるのである。
【００４１】
上記のように構成された本発明に係る直付け型照明器具Ａは、以下の要領で取付けされる。
【００４２】
図２（ａ）〜（ｃ）は、図１の直付け型照明器具Ａの取付方法を概略的に示した取付説明図である。
【００４３】
なお、図２中、図１と共通する部位には、同一の番号を付し、その説明は省略している。
【００４４】
先ず、図２（ａ）に示すように、取付面Ｈに固定された器具本体１の係止爪１２に向けて、照明カバー２の開口縁２１の上端だけを引掛けた状態にする。
【００４５】
次いで、この状態のまま、図２（ｂ）に示すように、照明カバー２の上方から下方に向けて加圧すれば、図１に示した弾性部材（コイルバネ）１６が収縮され、係止爪１２が下方に向けて可動されると同時に、この係止爪１２が上方に向けて弾性付勢される。
【００４６】
この係止爪１２の下方への可動に伴い、照明カバー２も弾性部材（コイルバネ）１６が収縮された分だけ、下方に向けて移動されるので、その移動後、照明カバー２の開口縁２１を取付面Ｈ側に向けて押し付ければ、固定された係止爪１３が開口縁２１の下端を通過することができ、照明カバー２の背面全体を取付面Ｈに密着する。
【００４７】
そして、図２（ｃ）に示すように、照明カバー２への加圧を解除すれば、弾性部材（コイルバネ）１６の弾性復元力によって、先程とは逆に、係止爪１２が上方に向けて可動されると同時に、この係止爪１２の弾性付勢が解除され、これら２つの係止爪１２、１３によって照明カバー２の開口縁２１を確実に係止する。
【００４８】
このようにして、照明カバー２は、取付面Ｈに対して略密着状態に直付けされると共に、２つの係止爪１２、１３によって確実に係止され、照明カバー２のガタツキも防止できるのである。
【００４９】
また、このとき、振れ止め片１５ｂが開口縁２１内側に配置されているので、照明カバー２のガタツキを更に防止できる。
【００５０】
なお、本実施例での照明カバー２としては、略正方形状のものを例示し、その開口縁２１が円形に開設されたものを例示しているが、この照明カバーの形状は、球状、直方体状、楕円形状等、様々なものであっても構わず、また、その開口縁２１の形状も、矩形状のものや、楕円形状のものなど、照明カバー２の形状に応じて適宜選択される設計事項である。
【００５１】
【発明の効果】
本発明によれば、次のような効果がある。
【００５２】
請求項１に係る直付け型照明器具の取付構造によれば、、器具本体には、照明カバーの開口縁に係止される２以上の係止爪を備えているので、従来のような照明カバーを係止するための取付用の貫通孔を形成する必要が無く、照明カバーの強度を弱めることなく、その強度を保持できる。
【００５３】
また、係止爪の少なくとも１つには、照明カバーの開口縁を外方に向けて弾性付勢する弾性部材を備えているので、取付けられた照明カバーが弾性部材の弾性復元力によって確実に係止され、照明カバーのガタツキも防止できる。
【００５４】
請求項２に係る直付け型照明器具の取付構造によれば、弾性部材としてコイルバネを利用しているので、照明カバーに負荷される弾性力を一定の保持することができ、照明カバーの破損等を防止できる。
【００５５】
請求項３に係る直付け型照明器具の取付構造によれば、器具本体と取付面との間に保護シートを介在させているので、器具本体が直接、取付面に接触することがなく、取付面の傷付きを防止できる。
【００５６】
また、弾性部材を備えた係止爪の一部が、保護シートに摺動されることで、凹凸の激しい壁面に設置しても、係止爪をスムーズに可動できる。
【００５７】
請求項４に係る直付け型照明器具の取付構造によれば、器具本体には、照明カバーの開口縁に向けて振れ止め片が設けられているので、照明カバーのガタツキを更に防止できる。
【００５８】
請求項５に係る直付け型照明器具の取付構造によれば、保護カバーによって、照明カバーへの傷付きを防止できる。
【図面の簡単な説明】
【図１】本発明に係る直付け型照明器具Ａの取付構造の一実施例を示す分解斜視図である。
【図２】（ａ）〜（ｃ）は、図１の直付け型照明器具Ａの取付方法を概略的に示した取付説明図である。
【符号の説明】
Ａ      直付け型照明器具
Ｈ      取付面
１      器具本体
１１    照明灯
１２    係止爪（可動）
１３    係止爪（固定）
１５ｂ  振れ止め片
１６    弾性部材
２      照明カバー
２１    開口縁
３      保護シート
１２ｂ、１３ａ  保護カバー
【図１】
2005032562.tif 000003
【図２】
2005032562.tif 000004